(57)【特許請求の範囲】
【請求項１】
水を吐水する吐水ユニットと、
被取付部材に取り付けられ、前記吐水ユニットを前記被取付部材に固定する第一固定部材と
を備え、
前記第一固定部材は、
前記被取付部材の表面に沿う所定方向に対する取り付け向きを調整する調整部を有し、
前記調整部は、
前記第一固定部材に対して対角線上に設けられた第一固定穴および第二固定穴を有し、
前記第一固定穴は、
前記対角線と交差する斜め方向に延びる長穴形状を有する
ことを特徴とする水栓装置。
【請求項２】
前記第一固定部材は、
前記第一固定穴および前記第二固定穴に挿入されるネジを介して前記被取付部材に取り付けられ、
前記第二固定穴の短辺側の幅は、挿入される前記ネジと略同じ幅であり、
前記第二固定穴の長辺側の幅は、挿入される前記ネジよりも大きい
ことを特徴とする請求項１に記載の水栓装置。
【請求項３】
前記調整部は、
前記第一固定穴の内部において前記第二固定穴を支点として円周方向に前記ネジをスライド可能である
ことを特徴とする請求項２に記載の水栓装置。
【請求項４】
前記被取付部材の後面に設けられ、前記第一固定部材と前記ネジを介して連結される第二固定部材をさらに備え、
前記第二固定部材は、
前記被取付部材の後面に設けられる位置決め部と接触することで前記被取付部材に対して位置決めされる
ことを特徴とする請求項２または３に記載の水栓装置。
【請求項５】
前記位置決め部は、
前記第二固定部材を水平に位置決めするための水平方向リブと、
前記第二固定部材を垂直に位置決めするための垂直方向リブとを有する
ことを特徴とする請求項４に記載の水栓装置。
【請求項６】
前記第一固定部材は、
矩形上の外形と、
前記吐水ユニットを挿入するための挿入穴と、
を有し、
前記第一固定穴および前記第二固定穴は、
前記挿入穴を挟むように前記対角線上に設けられる
ことを特徴とする請求項１〜５の何れか一つに記載の水栓装置。
【請求項７】
前記被取付部材は、前記吐水ユニットから吐水された水を受けるボウル部の後端側から立ち上がっており、
前記第一固定部材は、前記被取付部材に取り付けられた状態における上辺に、前記吐水ユニットを引っ掛ける引掛部を有し、
前記引掛部は、前記上辺に対して平行に延びる
ことを特徴とする請求項１〜６の何れか一つに記載の水栓装置。
【発明の詳細な説明】
【技術分野】
【０００１】
開示の実施形態は、水栓装置に関する。
【背景技術】
【０００２】
従来、水栓装置は、吐水ユニットを洗面化粧台や手洗い器、システムキッチン等の水回り機器に取り付けられて使用される。吐水ユニットを水回り機器に取り付ける際に施工性、メンテナンス性を高めるために使用者が手洗い動作等を行う使用者側すなわち前面側から施工する技術が知られている。
【０００３】
吐水ユニットを前面から施工する構造として、吐水ユニットを水回り機器の被取付部材の後ろ側から前側に挿入し、吐水ユニットに設けられているネジ山に対して被取付部材の前面から第一固定部材（ナット）を締める構造がある。このようにすることで、水回り機器に対して吐水ユニットを前面側から施工することができる（例えば特許文献１参照）。
【先行技術文献】
【特許文献】
【０００４】
【特許文献１】特開平１１−３２４０４４号公報
【発明の概要】
【発明が解決しようとする課題】
【０００５】
しかしながら、上記した従来の構造を用いると、水栓装置の意匠性が低下する恐れがある。具体的には、被取付部材の前面側に設けられる吐水ユニットや第一固定部材には文字（社名、商品名、ロゴ等）が記載されている場合や吐水ユニットの形状が真円でない場合がある。このため、吐水ユニットや第一固定部材を固定した際に、上記した文字や吐水ユニットが斜めの状態になることがあり、これにより意匠性が低下する恐れがある。
【０００６】
実施形態の一態様は、上記に鑑みてなされたものであって、吐水ユニットや第一固定部材を被取付部材に固定する際に意匠性が低下することを防止することができる水栓装置を提供することを目的とする。
【課題を解決するための手段】
【０００７】
実施形態の一態様に係る水栓装置は、吐水ユニットと、第一固定部材を備える。吐水ユニットは、水を吐水する。第一固定部材は、被取付部材に取り付けられ、吐水ユニットを被取付部材に固定し、被取付部材の表面に沿う所定方向に対する取り付け向きを調整する調整部を有する。
【発明の効果】
【０００８】
実施形態の一態様によれば、吐水ユニットや第一固定部材を被取付部材に固定する際に意匠性が低下することを防止することができる水栓装置を提供することができる。
【図面の簡単な説明】
【０００９】
【図１】図１は、実施形態に係る水栓装置を示す斜視図である。
【図２】図２は、実施形態に係る水栓装置の分解斜視図である。
【図３Ａ】図３Ａは、実施形態に係る水栓装置の吐水ユニットの正面図である。
【図３Ｂ】図３Ｂは、実施形態に係る水栓装置の吐水ユニットの側面図である。
【図３Ｃ】図３Ｃは、実施形態に係る水栓装置の吐水ユニットの底面図である。
【図４】図４は、実施形態に係る水栓装置の第一固定部材および第二固定部材が被取付部材に取り付けられた状態を示す側面図である。
【図５】図５は、実施形態に係る水栓装置の吐水ユニットを第一固定部材の引掛部に引っ掛ける様子を示す断面図である。
【図６】図６は、第一固定部材にネジ固定された吐水ユニットを示す断面図である。
【図７】図７は、実施形態に係る水栓装置の第一固定部材の正面図である。
【図８】図８は、実施形態に係る水栓装置を被取付部材の後方側から見た図である。
【発明を実施するための形態】
【００１０】
以下、添付図面を参照して、本願の開示する水栓装置の実施形態を詳細に説明する。なお、以下に示す実施形態によりこの発明が限定されるものではない。
【００１１】
図１は、実施形態に係る水栓装置を示す斜視図である。図１に示すように、実施形態に係る水栓装置１は、例えば、手洗い器Ｔに設けられる。手洗い器Ｔは、メイン水栓７と、メインハンドル８と、ボウル４と、排水口５と、被取付部材６と、キャビネット２と、吐水ユニット１０と、を備える。
【００１２】
なお、以下では、図１に示すように、使用者と対面する側を水栓装置１および手洗い器Ｔの前側（正面側）とし、その反対側を後側（背面側）とする。また、使用者から見て左側および右側を水栓装置１および手洗い器Ｔの左側および右側とし、重力方向およびその反対方向を水栓装置１および手洗い器Ｔの下側および上側とする。
【００１３】
メイン水栓７は、被取付部材６（後述する）に取り付けられ、給水源（図示しない）からの水を吐水するものであり、整流吐水、泡沫吐水、シャワー吐水の何れかの吐水形態で吐水する。メイン水栓７は、手洗いや水汲み等の動作に使用され、２〜１０Ｌ／ｍｉｎで吐水する。
【００１４】
メインハンドル８は、メイン水栓７からの吐水、止水および温度調整を行う操作部である。例えば、メインハンドル８を前側に操作するとメイン水栓７からの吐水が開始され、後側に操作すると止水される。また、メインハンドル８を左側に回転させると水温が上がり、右側に回転させると下がる。
【００１５】
ボウル４は、下方に向かって凹んだ凹状に形成されている。排水口５は、ボウル４の底部に設けられる。排水口５は、排水管（図示しない）に接続され、ボウル４に吐水された水を排水管（図示しない）に流す。
【００１６】
被取付部材６は、ボウル４の後方側の上部に設けられ、メイン水栓７、メインハンドル８、吐水ユニット１０（後述する）が取り付けられる。被取付部材６は、例えば板状であり、鉛直方向に延びる。被取付部材６は、鉛直方向に対して傾斜してもよい。被取付部材６は少なくとも鉛直方向に延びる成分を有していればよい。
【００１７】
キャビネット２は、ボウル４の下方に設けられ、キャビネット２に設けられる扉３を開くことで内部に小物等を収納することができる。さらにキャビネット２は、ボウル４を支持する機能を有している。ただし、ボウル４を部屋の壁面に直接取り付けた場合は、キャビネット２は省略可能である。
【００１８】
実施形態に係る水栓装置１は、吐水ユニット１０を備える。吐水ユニット１０は、被取付部材６に取り付けられ、被取付部材６に取り付けられた状態を正面側から見た時に外形が矩形状に形成される。吐水ユニット１０は、メイン水栓７からの吐水形態と異なる吐水形態で吐水される。例えば、噴霧吐水である。さらに、吐水ユニット１０は、メイン水栓７から吐水される水質と異なる水質の水を吐水する。例えば、除菌効果を有する機能水である。この機能水は、例えば水道水を電気分解することによって生成される次亜塩素酸水である。吐水ユニット１０は、排水口５等の菌を除菌する際に使用され、メイン水栓７の流量よりも少ない０．１〜０．５Ｌ／ｍｉｎで吐水する。
【００１９】
このように、実施形態に係る水栓装置１は、機能水を吐水することで、例えば、排水口５の菌を除菌することができる。
【００２０】
次に、図２を参照して実施形態に係る水栓装置１の固定方法について説明する。図２は、実施形態に係る水栓装置１の分解斜視図である。図２に示すように、水栓装置１は、被取付部材６に対して第一固定部材２０と第二固定部材３０を取り付け、被取付部材６に取り付けられた第一固定部材２０に吐水ユニット１０を取り付けることによって被取付部材６に固定される。
【００２１】
被取付部材６には、吐水ユニット１０に接続されるホース６０（図８参照）を通すことができるよう開口６ａと、第一固定部材２０と第二固定部材３０とをネジ固定するための穴６ｂ、６ｃが設けられる。
【００２２】
第一固定部材２０は、被取付部材６の前方側に設けられ、吐水ユニット１０に接続されるホース６０（図８参照）を通すための第一挿入穴２８（図７参照）と、第一固定部材２０を被取付部材６に取り付けるための固定穴２２とを有する。固定穴２２は、第一固定穴２３と第二固定穴２４とを有する。
【００２３】
第二固定部材３０は、被取付部材６の後方側に設けられ、吐水ユニット１０に接続されるホース６０（図８参照）を通すための第二挿入穴３３と、第二固定部材３０を被取付部材６に取り付けるための第三固定穴３１および第四固定穴３２とを有する。
【００２４】
第一固定部材２０および第二固定部材３０は、第一固定穴２３、穴６ｂおよび第三固定穴３１に対して第一固定穴２３側からネジを挿入して締め、第二固定穴２４、穴６ｃおよび第四固定穴３２に対して第二固定穴２４側からネジを挿入して締めることで被取付部材６に取り付けられる。吐水ユニット１０は、被取付部材６に取り付けられた第一固定部材２０に固定される。
【００２５】
しかしながら、第一固定部材２０を被取付部材６に取り付ける際に、第一固定部材２０が斜めの状態で取り付けられる恐れがある。第一固定部材２０が被取付部材６に対して斜めの状態で取り付けられると、第一固定部材２０に固定される吐水ユニット１０も斜めの状態で固定されてしまい意匠性が低下してしまう。
【００２６】
そこで、実施形態に係る水栓装置１では、第一固定部材２０に被取付部材６の表面に沿う所定方向に対する取り付け向きを調整する調整部２１を設けることとした。これにより、吐水ユニット１０を第一固定部材２０に固定させた際に、吐水ユニット１０が斜めの状態であれば、調整部２１で第一固定部材２０の取り付け向きを調整することで、吐水ユニット１０が斜めの状態で被取付部材６に固定されることを防止できる。したがって、意匠性が低下することを防止することができる。
【００２７】
次に、上述した吐水ユニット１０の外観の構成について説明する。図３Ａは、実施形態に係る水栓装置１の吐水ユニット１０の正面図である。図３Ｂは、実施形態に係る水栓装置１の吐水ユニット１０の側面図である。図３Ｃは、実施形態に係る水栓装置１の吐水ユニット１０の底面図である。
【００２８】
図３Ａに示すように、吐水ユニット１０は、正面視矩形状に形成され、吐水ユニット１０を形成するケーシング１６は、前ケーシング１６ａと、底ケーシング１６ｂと、一対の側ケーシング１６ｃ、１６ｄとを有する。さらに、吐水ユニット１０は、吐水ユニット１０から機能水を吐水するための吐水口１１ａを有する吐水部１１と、前ケーシング１６ａに設けられ、機能水の吐水開始を操作するスイッチ５０と、吐水ユニット１０内に光源（図示しない）を有し、吐水ユニット１０から吐水している状態で光源からの光を吐水ユニット１０外部に出す照射口７０と、吐水ユニット１０を第一固定部材２０にネジ固定するためのネジ開口部１５を有する。
【００２９】
次に図３Ｂに示すように、ケーシング１６は、三角柱状でかつ中空状であり、内部空間を有する。ケーシング１６は、この内部空間に吐水ユニット１０の各種部材を収納する。
【００３０】
前ケーシング１６ａは、水平面に対して傾斜する。この例において、前ケーシング１６ａは、下方に向かうにつれて厚みを増すように傾斜している。前ケーシング１６ａの傾斜角度Θ１は、例えば、取付面１２に対して２０°程度（１０°以上３０°以下）である。
【００３１】
底ケーシング１６ｂは、前ケーシング１６ａの下端から取付面１２に向かって延びる。底ケーシング１６ｂは、前ケーシング１６ａの下方に位置する。底ケーシング１６ｂは、前方に向かうにつれて上方に上がるように傾斜している。底ケーシング１６ｂの傾斜角度Θ２は、例えば水平面に対して０°よりも大きく２０°以下である。
【００３２】
吐水ユニット１０は、さらに延伸部１３を備える。延伸部１３は、取付面１２から後方に向かって延伸し、筒状に形成される。ホース６０は延伸部１３の内部に挿入され、接続部１４（図８参照）に接続される。
【００３３】
次に、図３Ｃに示すように、吐水口１１ａは底ケーシング１６ｂの左右方向において右側に設けられる。照射口７０およびネジ開口部１５は、底ケーシング１６ｂの左右方向において吐水口１１ａよりも中央側に設けられる。
【００３４】
次に図４を参照して被取付部材６に取り付けられた第一固定部材２０と第二固定部材３０を説明する。図４は、実施形態に係る水栓装置１の第一固定部材２０および第二固定部材３０が被取付部材６に取り付けられた状態を示す側面図である。
【００３５】
図４に示すように、第一固定部材２０は、被取付部材６の前方側に設けられ、上方側に吐水ユニット１０を固定する際に吐水ユニット１０を引っ掛ける引掛部２５が設けられ、下方側に吐水ユニット１０と第一固定部材２０とをネジで締結し固定するための締結部２６を有する。締結部２６は、ネジを挿入することができる締結穴２７を有する。
【００３６】
第二固定部材３０は、被取付部材６の後方側に設けられ、第一固定部材２０側から挿入されたネジ８０によって、第一固定部材２０と連結される。第一固定部材２０と第二固定部材３０は、被取付部材６を挟むように連結されるため、第一固定部材２０および第二固定部材３０を被取付部材６に取り付けることができる。
【００３７】
次に、図５および図６を参照し、吐水ユニット１０の第一固定部材２０への固定方法を説明する。図５は、実施形態に係る水栓装置１の吐水ユニット１０を第一固定部材２０の引掛部２５に引っ掛ける様子を示す断面図である。図６は、第一固定部材２０にネジ固定された吐水ユニット１０を示す断面図である。なお、図５および図６は、説明を簡略化するために第二固定部材３０を取り外した状態で説明する。
【００３８】
図５に示すように、吐水ユニット１０は、吐水ユニット１０の上方側に第一固定部材２０の引掛部２５と係合する係合部１７を有する。係合部１７は、引掛部２５が吐水ユニット１０内に挿入することができる空間を有している。
【００３９】
図６に示すように、第一固定部材２０の引掛部２５に吐水ユニット１０を引っ掛けた状態において、延伸部１３は、第一挿入穴２８（図５参照）および開口６ａ（図５参照）に挿入される。
【００４０】
引掛部２５と係合部１７の係合が完了した後は、第一固定部材２０の下方側に設けられる締結部２６の締結穴２７に吐水ユニット１０のネジ開口部１５からネジが挿入され、挿入されたネジを締結穴２７に螺合させる。こうすることで、吐水ユニット１０は、第一固定部材２０に固定される。
【００４１】
次に、図７を参照して第一固定部材２０について説明する。図７は、実施形態に係る水栓装置１の第一固定部材２０の正面図である。
【００４２】
図７に示すように、第一固定部材２０は、外形が矩形状に形成されている。さらに、第一固定部材２０は、延伸部１３（図６参照）やホース６０（図８参照）を挿入することができる円形状の第一挿入穴２８と、第二固定部材３０とネジで連結させるための固定穴２２を有する。固定穴２２は、第一固定穴２３と第二固定穴２４とからなる。
【００４３】
第一固定穴２３と第二固定穴２４は、第一挿入穴２８を挟むように設けられ、矩形状に形成された第一固定部材２０の対角領域Ａに設けられる。対角領域Ａは、矩形状に形成された第一固定部材２０の対角線状の領域だけではなく、対角線の周辺の領域をいう。具体的には、第一挿入穴２８が真円である場合、矩形状のそれぞれの辺を３分割し、矩形状の角を含む領域である。
【００４４】
第一固定穴２３と第二固定穴２４は所定の強度が必要となり、その強度を保つだけの距離（第一固定穴２３および第二固定穴２４から第一固定部材２０の外方側）が必要になる。第一固定穴２３と第二固定穴２４を第一固定部材２０の任意の場所に設けてしまうと強度を保つためだけに第一固定部材２０が大型化してしまうが、第一固定穴２３および第二固定穴２４を対角領域Ａすなわち第一固定部材２０の空いている領域に設けることで、第一固定部材２０が大型化することを防止しつつ強度を保つことができる。
【００４５】
次に、調整部２１について説明する。調整部２１は、被取付部材６の表面に沿う所定方向に対する取り付け向きを調整することができる。より具体的に、調整部２１は、第一固定穴２３と第二固定穴２４である。第一固定穴２３は、第二固定穴２４よりも大きくかつ長穴形状に形成される。
【００４６】
第一固定穴２３と第二固定穴２４にはそれぞれネジが挿入されることになる。第二固定穴２４は、挿入されるネジと略同径の丸穴である。一方、第一固定穴２３は、長穴形状を有しており、長穴形状の短辺側の幅は、挿入されるネジと略同じ幅で、長辺側の幅は、挿入されるネジの幅よりも大きく形成される。したがって、第一固定穴２３の長辺側方向に第一固定部材２０またはネジをスライドすることができる。
【００４７】
さらに詳細に説明すると、第一固定穴２３は、第二固定穴２４を中心とする仮想的な円の円周に沿って延在する長穴形状を有する。第二固定穴２４は挿入されるネジと略同径に形成されているため、第二固定穴２４を第一固定部材２０の支点（回転中心）とし、第一固定穴２３の範囲内において回転方向すなわち円周方向に第一固定部材２０またはネジをスライドさせることができる。
【００４８】
第二固定穴２４を第一固定部材２０の支点（回転中心）とすることで、第一固定部材２０またはネジのスライド方向を円周方向に制限することができ、取り付け向きの調整を容易にすることができる。
【００４９】
次に、図８を参照して第二固定部材３０について説明する。図８は、実施形態に係る水栓装置１を被取付部材６の後方側から見た図である。図８に示すように、第二固定部材３０は、第一固定部材２０側から挿入されたネジと螺合する第三固定穴３１と第四固定穴３２を有し、第三固定穴３１と第四固定穴３２とがそれぞれのネジと螺合することで、被取付部材６に取り付けられる。
【００５０】
被取付部材６に吐水ユニット１０が固定された状態において、第二固定部材３０に設けられる第二挿入穴３３には、ホース６０や延伸部１３が挿入されている。ホース６０は、被取付部材６の後方側から延伸部１３の内部を通って、吐水ユニット１０の接続部１４に接続される。
【００５１】
また、被取付部材６は、被取付部材６の後面に第二固定部材３０の固定位置を位置決めする位置決め部４０を有する。位置決め部４０は、第二固定部材３０を水平に位置決めするための水平方向リブ４１と、第二固定部材３０を垂直に位置決めするための垂直方向リブ４２とを有する。
【００５２】
第二固定部材３０は、水平方向リブ４１と垂直方向リブ４２の各々に接触することで被取付部材６に対して位置決めされる。このように、第二固定部材３０を位置決めすることで、第二固定部材３０の取付位置を基準とすることができ、第一固定部材２０を水平と垂直がとれた第二固定部材３０を基準に調整することができ、調整が容易になる。
【００５３】
被取付部材６に対してメイン水栓７と吐水ユニット１０が取り付けられる例を挙げて説明したが、吐水ユニット１０だけであってもよい。
【００５４】
吐水ユニット１０の吐水形態として、噴霧吐水の例を挙げて説明したが、必ずしも噴霧吐水であることは要しない。同様に吐水ユニット１０から吐水される水が次亜塩素酸水である例を挙げて説明したが必ずしも次亜塩素酸水であることは要せず、水道水であってもよい。
【００５５】
第一固定穴２３の一形態として、第二固定穴２４よりも大きく長穴形状である例を挙げて説明したが、必ずしも長穴形状であることは要せず、第一固定穴２３の範囲内でネジがスライドできればよい。例えば、第一固定穴２３は、第二固定穴２４よりも径が大きい丸穴形状としてもよい。
【００５６】
第二固定穴２４の一形態として、第二固定穴２４の大きさを挿入されるネジと略同径の例を挙げて説明したが、必ずしも略同径であることは要せず、第二固定穴２４の範囲内でネジがスライドできるようにしてもよい。
【００５７】
対角領域Ａの一形態として、第一固定部材２０を正面から見た場合において、左上方側と右下方側の例を挙げて説明したが、対角領域Ａは、右上方側と左下方側であってもよい。
【００５８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５９】
１  水栓装置
２  キャビネット
３  扉
４  ボウル
５  排水口
６  被取付部材
７  メイン水栓
８  メインハンドル
１０  吐水ユニット
１１  吐水部
１２  取付面
１３  延伸部
１４  接続部
１５  ネジ開口部
１６  ケーシング
１７  係合部
２０  第一固定部材
２１  調整部
２２  固定穴
２３  第一固定穴
２４  第二固定穴
２５  引掛部
２６  締結部
２７  締結穴
２８  第一挿入穴
３０  第二固定部材
３１  第三固定穴
３２  第四固定穴
３３  第二挿入穴
４０  位置決め部
４１  水平方向リブ
４２  垂直方向リブ
５０  スイッチ
６０  ホース
７０  照射口
８０  ネジ
Ｔ  手洗い器
【図１】
0006733226.tif 000002
【図２】
0006733226.tif 000003
【図３Ａ】
0006733226.tif 000004
【図３Ｂ】
0006733226.tif 000005
【図３Ｃ】
0006733226.tif 000006
【図４】
0006733226.tif 000007
【図５】
0006733226.tif 000008
【図６】
0006733226.tif 000009
【図７】
0006733226.tif 000010
【図８】
0006733226.tif 000011